(57)【要約】      （修正有）【課題】パソコンのＰＣカードスロットのスペースを利用し、リモコン装置、ワイヤレス通話装置が格納パソコンのモバイル性かつ収納性、多機能性が図る。【解決手段】パソコンのリモコン装置、ワイヤレス通話無線装置がパソコンのＰＣカードの形状を作り、パソコンのＰＣカードスロットに挿入、収納する及びパソコン側からワイヤレス通話無線装置の充電池に充電するためのＰＣインタフェースを設ける。【選択図】図１
0003127720.tif 000002
【実用新案登録請求の範囲】
【請求項１】
パソコンのリモコン装置部がＰＣカードの中にあり、パソコンのＰＣカードスロットに挿入、収納することを特徴とするパソコンの電子装置。
【請求項２】
パソコンのワイヤレス通話装置部がＰＣカードの中にあり、パソコンのＰＣカードスロットに挿入、収納すること及びパソコン側からワイヤレス通話装置部の充電池に充電するように構成することを特徴とするパソコンの電子装置。
【請求項３】
パソコンのリモコン装置部とワイヤレス通話装置部一体化であることを特徴とするパソコンの電子装置。
【請求項４】
上記のパソコンのＰＣカード型の電子装置にメモリカードのスロットがあり、メモリカード装着可能で、パソコンとのデータ通信ができることを特徴とするパソコンの電子装置。
【考案の詳細な説明】
【技術分野】
【０００１】
パソコンのリモコン装置部、ワイヤレス通話装置部がパソコン本体に収納するに関する分野。
【背景技術】
【０００２】
近年、パソコンにおいて、ＤＶＤ，ＴＶ鑑賞などで使い勝手が良くするためリモコンを具備するものが現れている。またパソコンでマイク付きヘッドホセットンを使って格安料金インターネット電話がかけることが可能である。。この二つ機能が備えるため、パソコン本体以外、リモコンとマイク付きヘッドホンセットが必要である。しかし従来はこの二つ装置がパソコン本体と別々であって、パソコン本体に収納が不可能であった。それはパソコンのモバイル性に適切ではない。またパソコンのＵＳＢ端子が対応可能なハードウェアが増え続々あり、その反面パソコンのＰＣカードスロットが使用機会が減ってる。パソコン本体にメモリスロットがない限り、或いは対応メモリカードの種類が少ない場合は別のメモリカードのアダプターが必要であった。
【考案の開示】
【考案が解決しようとする課題】
【０００３】
パソコンのリモコン装置、ワイヤレス通話装置がパソコン本体に収納するため、今までのパソコン本体の余り使わない、或いは使ってから空ける空間を利用し、リモコン装置、ワイヤレス通話装置が収納する。
【課題を解決するための手段】
【０００４】
パソコンのリモコン装置部、ワイヤレス通話装置部をＰＣカードの中に入り、或いはＰＣカードの形（ＰＣカード規格に準拠した形状 ）にする。上記のＰＣカード型の電子装置にＰＣインタフェース端子部を設け、よってパソコンのＰＣカードスロットにリモコン装置、ワイヤレス通話装置を挿入し、パソコンの電源からワイヤレス通話装置の充電池に充電することが可能。また上記の電子機器にメモリカードスロットを設けることにより、装着したメモリはパソコンとのデータ交換も可能。電子装置の長さは、パソコンに挿入、収納してる状態でパソコンＰＣカードスロット外部に突出することない長さにする。
【考案の効果】
【０００５】
パソコンのＰＣカードスロットが使われない時が多い、これを利用しリモコン装置、ワイヤレス通話装置を収納して、収納してる状態でもメモリカードのアダプタとして利用可能。上記の電子装置がパソコンのＰＣカードスロットに装着することで、パソコン側から電源供給を行い、ワイヤレス通話装置の充電池に充電する。ワイヤレス通話装置の充電器を用いることなく、充電を行うことができる。 部品点数を削減できるとともに、且つパソコンの携行性を損なうことなく多機能化及び利用範囲の拡大を図ることが可能である。
【考案を実施するための最良の形態】
【０００６】
本考案はコスト、技術面、市場のニーズなどを総合的に考えた上で三つの実施形態が上げる。１、リモコン装置、ワイヤレス通話装置、メモリカードスロットが三つ一体化にしパソコンのＰＣカードスロットに収納する（図１）。２、電子装置の形状に拘らず（ＰＣカードの形にしなくても）普通のパソコンのリモコン装置にワイヤレス装置を加え、多機能電子装置を図る（図５）。３、リモコン装置、ワイヤレス装置が別々単独で、或いはメモリカードスロットと組み合わせ作ってパソコンのＰＣカードスロットに収納する（図４）。
【図面の簡単な説明】
【０００７】
【図１】ＰＣカード型電子装置の正面斜視図
【図２】ＰＣカード型電子装置の背面斜視図
【図３】パソコンとＰＣカード型電子装置の斜視図
【図４】正面図（ワイヤレス通話装置単独実施例）
【図５】正面図（普通形状のリモコン装置とワイヤレス通話装置が一体化の実施例）
【符号の説明】
【０００８】
１  パソコンのＰＣカード型電子装置
２  リモコン発光部
３  ＰＣインタフェース
４  ワイヤレス通話装置のスピーカー
５  ワイヤレス通話装置のマイク  
６  パソコンのＰＣカード型電子装置の操作ボタン
７  メモリカードスロット
８  パソコン
９  パソコンのＰＣカードスロット
１０折り畳み式ワイヤレス通話装置のアンテナ
１a パソコンのＰＣカード型ワイヤレス通話装置
４a ワイヤレス通話装置のスピーカー
５a ワイヤレス通話装置のマイク
６a ワイヤレス通話装置の操作ボタン
１ｂ普通形状のリモコン装置とワイヤレス通話装置が一体化の電子装置
４ｂ普通形状のリモコン装置とワイヤレス通話装置が一体化の電子装置のスピーカー
５ｂ普通形状のリモコン装置とワイヤレス通話装置が一体化の電子装置のマイク
６ｂ普通形状のリモコン装置とワイヤレス通話装置が一体化の電子装置の操作ボタン
【図１】
0003127720.tif 000003
【図２】
0003127720.tif 000004
【図３】
0003127720.tif 000005
【図４】
0003127720.tif 000006
【図５】
0003127720.tif 000007
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
パソコンのリモコン装置がパソコンのＰＣカードの形であり、パソコンのＰＣカードスロットに挿入、収納可能であることを特徴とするパソコンのリモコン装置。
【手続補正３】
【補正対象書類名】明細書
【補正対象項目名】０００１
【補正方法】変更
【補正の内容】
【０００１】パソコンのリモコン装置がパソコン本体に収納するに関する分野。
【手続補正４】
【補正対象書類名】明細書
【補正対象項目名】０００２
【補正方法】変更
【補正の内容】
【０００２】近年、パソコンにおいて、ＤＶＤ，ＴＶ鑑賞などで使い勝手が良くするためリモコンを具備するものが現れている。この機能が備えるため、パソコン本体以外、リモコンが必要である。しかし従来はリモコンがパソコン本体と別々であって、パソコン本体に収納が不可能であった。それはパソコンのモバイル性に適切ではない。またパソコンのＵＳＢ端子が対応可能なハードウェアが増え続々あり、その反面パソコンのＰＣカードスロットの使用機会が減っている。
【手続補正５】
【補正対象書類名】明細書
【補正対象項目名】０００３
【補正方法】変更
【補正の内容】
【０００３】パソコンのリモコン装置がパソコン本体に収納するため、今までのパソコン本体の余り使わない、或いは使ってから空ける空間を利用し、リモコン装置が収納する。
【手続補正６】
【補正対象書類名】明細書
【補正対象項目名】０００４
【補正方法】変更
【補正の内容】
【０００４】パソコンのリモコン装置はＰＣカードの形（ＰＣカード規格に準拠した形状 ）にする。上記のＰＣカード型の電子装置にＰＣインタフェース端子部を設け、よってパソコンのＰＣカードスロットにリモコン装置を挿入し、固定する。リモコンの長さは、リモコンがパソコンのＰＣカードスロットに挿入、収納してる状態でパソコンＰＣカードスロット外部に突出することなくの長さにする。
【手続補正７】
【補正対象書類名】明細書
【補正対象項目名】０００５
【補正方法】変更
【補正の内容】
【０００５】パソコンのＰＣカードスロットが使われない時が多い、これを利用しリモコン装置を収納して、 部品点数を削減できるとともに、且つパソコンの携行性を損なうことなく多機能化及び利用範囲の拡大を図ることが可能である。
【手続補正８】
【補正対象書類名】明細書
【補正対象項目名】０００６
【補正方法】変更
【補正の内容】
【０００６】パソコンメーカがＤＶＤ，ＴＶ鑑賞功能など有するパソコンにシンプル且つ操作簡単なＰＣカード型リモコン装置をセットし、販売する。
【手続補正９】
【補正対象書類名】明細書
【補正対象項目名】０００７
【補正方法】変更
【補正の内容】
【０００７】
【図１】パソコンのＰＣカード型リモコン装置の正面斜視図
【図２】パソコンのＰＣカード型リモコン装置の背面斜視図
【図３】パソコンとパソコンのＰＣカード型リモコンの斜視図
【手続補正１０】
【補正対象書類名】明細書
【補正対象項目名】０００８
【補正方法】変更
【補正の内容】
【０００８】１  パソコンのＰＣカード型リモコン装置                ２  パソコンのＰＣカード型リモコン装置の発光部                ３  パソコンのＰＣカード型リモコン装置のＰＣインタフェース                ４  パソコンのＰＣカード型リモコン装置の操作ボタン                ５  パソコン                ６  パソコンのＰＣカードスロット
【手続補正１１】
【補正対象書類名】図面
【補正対象項目名】図１
【補正方法】変更
【補正の内容】
【図１】
0003127720.tif 000008
【手続補正１２】
【補正対象書類名】図面
【補正対象項目名】図２
【補正方法】変更
【補正の内容】
【図２】
0003127720.tif 000009
【手続補正１３】
【補正対象書類名】図面
【補正対象項目名】図３
【補正方法】変更
【補正の内容】
【図３】
0003127720.tif 000010
【手続補正１４】
【補正対象書類名】図面
【補正対象項目名】図４
【補正方法】削除
【補正の内容】
【手続補正１５】
【補正対象書類名】図面
【補正対象項目名】図５
【補正方法】削除
【補正の内容】